Podtech/llm-jp-corpus-v4-ja_patent huggingface dataset:
(57)【要約】【課題】着用中にずれにくく、用を足す際などに容易に移動することができる下穿きを提供すること。【解決手段】  股間部布Ｂ、前部布Ａ、背部布Ｃ及び布片Ｄ、腰紐Ｅからなる下穿きであって、股間部布Ｂの一方には前部布Ａ、他方には背部布Ｃがそれぞれ連結され、股間部布Ｂが伸縮可能である。【選択図】図１
0003203996.tif 000002
【実用新案登録請求の範囲】
【請求項１】
股間部布、前部布、背部布及び腰紐からなる下穿きであって、前記股間部布の一方には前記前部布、他方には前記背部布がそれぞれ連結され、前記股間部布が伸縮可能であることを特徴とする下穿き。
【請求項２】
前記前部布には、少なくとも一対の面ファスナーが設けられていることを特徴とする請求項１記載の下穿き。
【請求項３】
前記布片の一方には前記背部布、他方には前記腰紐がそれぞれ連結され、かつ、前記布片の両側には前記背部布の端部と前記腰紐とをそれぞれ連結する連結紐があり、該連結紐は伸縮可能であることを特徴とする請求項１または２記載の下穿き。
【請求項４】
前記股間部布及び／又は前記連結紐にゴム紐を使用することを特徴とする請求項１乃至３に記載の下穿き。
【考案の詳細な説明】
【技術分野】
【０００１】    本考案は、容易に脱ぎ着できない服装を身に付けている際に着用するための下穿きに関する。
【背景技術】
【０００２】  従来の褌は、時間が経過すると次第に股間部布地が下にずれ落ちることが多く、また、そのずれ落ちた際には、着物などを着用していても、股間部布を引き上げるため、腰紐から折り返した部分の前部布地を引き下げなくてはならず手間がかかっていた。【０００３】  また、用便のとき股間部布を大きく引き下げ、用便の後は、腰紐で折り返している前部布を引き下げ、股間部布を元の位置に引き上げるのに手間がかかった。【０００４】  高年齢層や泌尿器系の疾患のある患者を対象とした尿取りパットを挿入することができなかった。【０００５】  和服着用時は尚更、褌や尿取りパットの使用が困難であった。
【先行技術文献】
【特許文献】
【０００６】
【特許文献１】登録実用新案第３１１２３４６号公報
【考案の概要】
【考案が解決しようとする課題】  本考案は、このような問題点に着目してなされたもので、着用中にずれにくく、用を足す際などに容易に移動することができる下穿きを提供することを目的とする。
【課題を解決するための手段】
【０００７】  従来の褌は、着用中の股間部布がずれ落ちる。それで、それに対しては腰紐で折り返している前部布の向き合っている二面の両側に面ファスナーを取り付けて二面を接着させる。【０００８】  股間部の布の両脇にゴム紐を縫い付けてギャザー状のゆとりスペースをつくる。このスペースによって男性陰部の出し入れが容易になり、また、尿取りパットの出し入れが容易になる。【０００９】  褌着用時に用を足す際に、股間部布を大きく下げてないで済むためには、股間部布と背部布を左右方向に動かす方がよい。そのため、腰紐と背部布を分離し、腰紐の中央と背部布の上縁中央を布片で連結し、背部布の上縁両端と腰紐とゴム紐で連結する。
【考案の効果】
【００１０】  本考案により、股間部布が下方にずれ落ちにくくなること、用を足す際に股間部布と背部布を左右方向に移動させることで、男性陰部の出し入れが楽になり、大小便共に容易になる。また、股間部への尿取りパットの出し入れが容易になる。
【図面の簡単な説明】
【００１１】
【図１】着用前の下穿きの正面図である。
【考案を実施するための形態】
【００１２】  本考案に係る下穿きについて、図１の着用前の下穿きの正面図を用いて説明する。
【実施例】
【００１３】  腹側の腰紐Ｅ部分で折り返す前部布Ａの向かい合う両側面上に面ファスナー３ａ，３ｂ，３ｃ，３ｄを取り付けている。【００１４】  股間部布Ｂの両側にゴム紐２ａ，２ｂを挿入し股間部布Ｂの左右両端は伸縮できるようになっている。【００１５】  分離してある腰紐Ｅと背部布Ｃは腰紐Ｅの中央部と背部布Ｃ上縁中央を布片Ｄで連結し、背部布Ｃ上縁両端と腰紐Ｅとの間をゴム紐１ａ、１ｂで連結している。【００１６】  次に、作用効果について説明する。
（１）前部布Ａに面ファスナーを左右各２箇所ずつ取り付けているため、着用中に股間部布が下にずれ落ちない。
（２）股間部布Ｂの両脇にゴム紐２ａ，２ｂを取り付け、股間部布Ｂが伸縮できるようにしたため、股間部布Ｂがギャザー状に収縮しているときは、窪み状のスペースに男性陰部と尿取りパットを収容固定させ、用を足す際にはギャザーを伸展させてこれらを容易に取り出すことができる。
（３）背部布Ｃと腰紐Ｅとを、ゴム紐１ａ，１ｂと布片Ｄで連結することで、背部布Ｃを容易に左右方向に動かすことができるため小便だけでなく大便の際も後方まで容易に移動させることができ動作し易い。【００１７】  以上、具体的な構成はこれら実施例に限られるものではなく、本考案の要旨を逸脱しない範囲における変更や追加があっても本考案に含まれる。
【符号の説明】
【００１８】Ａ                      前部布
Ｂ                      股間部布
Ｃ                      背部布
Ｄ                      布片
Ｅ                      腰紐
１ａ，１ｂ              連結紐（ゴム紐）
２ａ，２ｂ              ゴム紐
３ａ，３ｂ，３ｃ，３ｄ  面ファスナー
【図１】
0003203996.tif 000003
【手続補正書】
【提出日】平成28年2月15日(2016.2.15)
【手続補正１】
【補正対象書類名】実用新案登録請求の範囲
【補正対象項目名】請求項１
【補正方法】変更
【補正の内容】
【請求項１】
股間部布、前部布、背部布、布片及び腰紐からなる下穿きであって、前記股間部布の一方には前記前部布、他方には前記背部布がそれぞれ連結され、前記股間部布が伸縮可能であることを特徴とする下穿き。
【手続補正２】
【補正対象書類名】実用新案登録請求の範囲
【補正対象項目名】請求項４
【補正方法】変更
【補正の内容】
【請求項４】
前記股間部布及び／又は前記連結紐にゴム紐を使用することを特徴とする請求項３に記載の下穿き。
【手続補正３】
【補正対象書類名】明細書
【補正対象項目名】０００９
【補正方法】変更
【補正の内容】
【０００９】  褌着用時に用を足す際に、股間部布を大きく下げないで済むためには、股間部布と背部布を左右方向に動かす方がよい。そのため、腰紐と背部布を分離し、腰紐の中央と背部布の上縁中央を布片で連結し、背部布の上縁両端と腰紐をゴム紐で連結する。
(57)【要約】      （修正有）【課題】磨り減った脚裏パットを指先で簡単にはがして取り替えることができる椅子の脚裏パットを提供する。【解決手段】椅子の脚裏面１ＡにＨｏｏｋテープ裏面２Ａを接着して、Ｌｏｏｐテープ裏面３Ａに、フエルトパット４を接着して、Ｈｏｏｋテープ表面２Ｂと、Ｌｏｏｐテープ表面３Ｂの表面を絡合させて圧着したことにより、椅子の脚裏にフエルトパットが有る様にした。【選択図】図２
0003203994.tif 000002
【実用新案登録請求の範囲】
【請求項１】
椅子の脚裏面１Ａに、Ｈｏｏｋテープの裏面２Ａを接着する。
Ｌｏｏｐテープの裏面３Ａに、フエルトパット４を接着して、Ｈｏｏｋテ−プの表面２ＢとＬｏｏｐテープの表面３Ｂを絡合させて、圧着して為る椅子の脚裏パット。
【考案の詳細な説明】
【考案の詳細な説明】
【考案が解決しようとする課題】
【０００１】従来の椅子の脚裏パットの張り替えは、フエルトパットを脚裏に直に接着してあるので、磨り減ったフエルトパットが接着剤に絡みつき、剥離するのに刃物を使わなければならなかったとゆう問題点を有していた。
【課題を解決するための手段】
【０００２】上記目的を達成するために、椅子の脚裏にＨｏｏｋテープの裏面を接着する。
一方Ｌｏｏｐテープの裏面にフエルトパットを接着して、Ｈｏｏｋテープの表面とＬｏｏｐテープの表面を絡合させて圧着することにより椅子の脚裏にフエルトパットが有る様にした。従って、パットの張り替えは、ＨｏｏｋテープからＬｏｏｐテープを剥ぎ取り、新しいパットを接着したＬｏｏｐテープを、Ｈｏｏｋテープに絡合させるようにした。
【考案の効果】
【０００３】本案は、マジックテープを接着剤の代わりに利用したことで、パットの脱着が簡単になり、パットの取り替えが容易に出来るようになった。
【図面の簡単な説明】
【図１】椅子の脚裏にＨｏｏｋテープとＬｏｏｐテープの表面を絡合させて圧着して、Ｌｏｏｐテープの裏面にフエルトパットを接着した側面図である。
【図２】図１の展開図である。
【符号の説明】１        椅子の脚
１Ａ      椅子の脚裏面
２        Ｈｏｏｋテープ
２Ａ      Ｈｏｏｋテープの裏面
２Ｂ      Ｈｏｏｋテープの表面
３        Ｌｏｏｐテープ
３Ａ      Ｌｏｏｐテープの裏面
３Ｂ      Ｌｏｏｐテープの表面
４        フエルトパット
５        ＨｏｏｋテープとＬｏｏｐテープの絡合部
【図１】
0003203994.tif 000003
【図２】
0003203994.tif 000004
【手続補正書】
【提出日】平成28年2月16日(2016.2.16)
【手続補正１】
【補正対象書類名】実用新案登録請求の範囲
【補正対象項目名】全文
【補正方法】変更
【補正の内容】
【実用新案登録請求の範囲】
【請求項１】
「椅子の脚裏面１Ａに、フックテープの裏面２Ａを接着し、ループテープの裏面３Ａに、フエルトパット４を接着して、フックテープの表面２Ｂとループテープの表面３Ｂを絡合させて、圧着して為る椅子の脚裏パット。」
(57)【要約】      （修正有）【課題】電気を発生させ安全にめっきを剥離する装置を提供する。【解決手段】ステンレス又は銅の容器１の中へユニクローム、亜鉛でめっきされた物２を、底や周りに接しないように絶縁体３を敷いてその上に、または水中に止まるように入れてあり、ステンレス又は銅の容器１へは＋の配線が、ユニクローム、亜鉛でめっきされた物２へはーの配線がしてあり、水を浸たるように入れ、およそ０．７Ｖの電圧の電気が発生し、同じユニットを直列につなぐことにより電極の気泡を減らすことができ、デジタルタイマー６やデジタル時計を、複数つなげばＬＥＤライトも点灯することができ、電気を取り出し同時にめっきを剥離させる。【選択図】図１
0003203916.tif 000002
【実用新案登録請求の範囲】
【請求項１】
ステンレス又は銅の容器の中へユニクロームや亜鉛などのめっきされた物を底や周りに接しないように木片等を敷いて入れてあり、ステンレス又は銅の方へは＋の配線が、めっきされた物はーの配線をして水を浸るように入れてあり電気が発生している。およそ０，７Ｖぐらいの電圧なので同じものをもう一つ作り直列に繋ぐことにより、各電極の気泡を極めて少なくすることができ、デジタルタイマーやデジタル時計を、複数繋げばＬＥＤライトを点灯することができる。このようにして電気を取り出すこととめっきを綺麗に剥離することができることを特徴とする装置である。
【請求項２】
亜鉛などのめっきされた容器の中へステンレス又は銅を底や周りに接しないように木片等を敷いて入れてあり、ステンレス又は銅の方へは＋の配線が、めっきされた容器にはーの配線をして水を浸るように入れれば、容器のめっきが剥離される。また容器の中にステンレス又は銅をコードを調整して水中で止まるようにすれば容器のめっきを剥離することができることを特徴とする装置である。
【考案の詳細な説明】
【技術分野】
【０００１】本考案は、電気を発生させめっきを剥離する装置に関するものである
【背景技術】
【０００２】めっきはパソコンやスマートホン等の小さい素材にも施され、剥離する場合薬品などにより溶解する方法がとられていた
【先行技術文献】
【０００３】
【非特許文献１】水時計  ビドルウォータークロック説明書
【考案の概要】
【考案が解決しようとする課題】
【０００４】  めっきは剥離する場合には薬品等によって溶解する方法がとられていた。
従ってこの方法は素材を傷めず、安全に剥離することを可能とするものである。
【課題を解決するための手段】
【０００５】本考案は電極そのものを容器にすることにより、容器そのものにコードを繋ぐことができ、素材を傷めず安全に剥離することにより問題点を解決している。【０００６】  上述のように本考案の電気を発生させめっきを剥離する方法は、小さなめっき製品も大きなめっき製品もステンレス又は銅の容器に入れ配線し、電気を取り出し消費することによりめっきを剥離することができ、溶媒も水であり安全に使用することができる。
【図面の簡単な説明】
【０００７】
【図１】本考案の電気を発生させ、めっきを剥離する装置で、一実施例を示す正面からの断面図である。
【考案を実施するための形態】
【０００８】  ステンレス又は銅の容器に剥離したいめっきされた金属を入れる。底や周りに接しないように底面に木片等を入れその上に載せる。同じものをもう一つ作り配線する。一方の容器からの線はデジタルタイマーの＋に、中のめっきされたものからはもう一方の容器へ、もう一方の中のめっきされたものからはデジタルタイマーのーに繋ぐ。次に各容器の中に水を注ぎ入れれば、デジタルタイマーに００：００が現れスタートを押せば動き始めると同時に剥離が始まる。
【実施例】
【０００９】  以下、添付図面に従って一実施例を説明する。１はステンレスの容器、２はユニクロームめっきされたＬ型金属、３は木片、４はクリップ付きのコード、５は水である。このように配線をして６のデジタルタイマーに繋ぐとタイマーに００：００が現れスタートを押すと作動し、電気を取り出し消費することによりめっきの剥離が始まる。【００１０】  本考案の一実施例は上述の如き構成からなるものであるから、デジタルタイマーを動かし、電気を消費することによりめっきされた金属のめっきを剥離することができる。
【符号の説明】
【００１１】１、  容器（ステンレス）
２、  ユニクロームめっきされたＬ型金属
３、  木片
４、  クリップ付きコード
５、  水
６、  デジタルタイマー
【図１】
0003203916.tif 000003
【手続補正書】
【提出日】平成27年10月1日(2015.10.1)
【手続補正１】
【補正対象書類名】実用新案登録請求の範囲
【補正対象項目名】全文
【補正方法】変更
【補正の内容】
【実用新案登録請求の範囲】
【請求項１】
ステンレス又は銅の容器の中へユニクローム、亜鉛でめっきされた物を底や周りに接しないように絶縁体を敷いてその上に、または水中に止まるように入れてあり、ステンレス又は銅の方へは＋の配線がユニクローム、亜鉛でめっきされた物へはーの配線がしてあり水が浸たるように入っておよそ０，７Ｖの電圧の電気が発生、同じユニットを直列につなぎ電極の気泡を減らしデジタルタイマーやデジタル時計を、複数つなげばＬＥＤライトも点灯することができ、電気を取り出し同時にめっきを剥離させる事を特徴とする装置
【請求項２】
ユニクローム、亜鉛めっきされた容器の中へステンレス又は銅を底や周りに接しないように絶縁体を敷いてその上に、または水中に止まるように入れてあり、ステンレスまたは銅の方へは＋の配線がユニクローム、亜鉛でめっきされた容器へはーの配線がしてあり水が浸たるように入っておよそ０．７Ｖの電圧の電気が発生、同じユニットを直列につなぎ電極の気泡を減らしデジタルタイマーやデジタル時計を、複数つなげばＬＥＤライトも点灯することができ、電気を取り出し同時にめっきを剥離させる事を特徴とする装置
【手続補正書】
【提出日】平成28年1月25日(2016.1.25)
【手続補正１】
【補正対象書類名】実用新案登録請求の範囲
【補正対象項目名】全文
【補正方法】変更
【補正の内容】
【実用新案登録請求の範囲】
【請求項１】
ステンレス又は銅の容器の中へユニクローム、亜鉛でめっきされた物を底や周りに接しないように絶縁体を敷いてその上に、または水中に止まるように入れてあり、ステンレス又は銅の方へは＋の配線がユニクローム、亜鉛でめっきされた物へはーの配線がしてあり水が浸たるように入っておよそ０，７Ｖの電圧の電気が発生し、同じユニットを直列につなぎ電極の気泡を減らしデジタルタイマーやデジタル時計を、複数つなげばＬＥＤライトも点灯することができ、電気を取り出し同時にめっきを剥離させる事を特徴とする装置
【請求項２】
ユニクローム、亜鉛めっきされた容器の中へステンレス又は銅を底や周りに接しないように絶縁体を敷いてその上に、または水中に止まるように入れてあり、ステンレスまたは銅の方へは＋の配線がユニクローム、亜鉛でめっきされた容器へはーの配線がしてあり水が浸たるように入っておよそ０．７Ｖの電圧の電気が発生し、同じユニットを直列につなぎ電極の気泡を減らしデジタルタイマーやデジタル時計を、複数つなげばＬＥＤライトも点灯することができ、電気を取り出し同時にめっきを剥離させる事を特徴とする装置
(57)【要約】      （修正有）【課題】二輪車の車輪を溝にはめ込み、本体の重量により固定された二輪車は転倒しにくくなり、かつ整理整頓されると共に安価で耐久性に優れた二輪車止めを提供する。【解決手段】所定の厚みを有しかつ重量のある部材本体の中間部に二輪車１を保持するための車輪受け溝３が開設され、また部材本体の重量が車輪受け溝３に二輪車１をはめこみ固定することで倒れない程の重量である。二輪車１の車輪部分は用途によりタイヤ４の太さが異なるが、必要に応じて溝の幅を調整作成することによりさまざまな用途の二輪車に適応可能となる。【選択図】図１
0003203920.tif 000002
【実用新案登録請求の範囲】
【請求項１】
所定の厚みを有しかつ重量のある部材本体の中間部に二輪車を保持するための車輪受け溝が開設され、また部材本体の所定箇所には二輪車の受け溝が二輪車を溝にはめ込み固定することで倒れない程の重量であることを特徴とした二輪車止め。
【請求項２】
請求項１に記載した二輪車止めであって底面が二輪車を複数台並べて置ける幅を設ける事を特徴とする二輪車止め。
【請求項３】
請求項１ないし２に記載した二輪車止めであって、少なくとも溝の深さは車輪を溝にはめ込んだ時に車輪のタイヤの部分が隠れて左右の溝の深さで、二輪車を置く際に自立する程度の深さを有し、且つ衝撃の際に挟まれた車輪が外れない程度の構造を特徴とした二輪車止め。
【請求項４】
請求項１ないし２、３に記載した二輪車止めであって、構造物の溝に二輪車をはめ込んだあとに、二輪車が置かれた二輪車をはめ込む際の入り口左右手前に二か所の貫通穴を設けその貫通穴に鎖やチェーン等を通し二輪車をはめ込んだ後に、はめ込んだ車輪の間に鎖、チェーンを通して施錠することになって車輪と二輪車止めが一体化となり固定されることで倒れにくくなる特徴を有する二輪車止め。
【請求項５】
請求項４に記載された二輪車止めであって施錠具などを設置することにより、少なくとも車輪が固定されてずれにくくなり、安定し転倒しにくく整理整頓を促すことを可能とした二輪車止め。
【考案の詳細な説明】
【技術分野】
【０００１】    本発明は、駐車場などに設置される二輪車止めに関する。
【背景技術】
【０００２】    従来より、下記特許文献１等に開示されているよう二輪車止めが駐車スペースに見受けられる。従来より設置されている二輪車止めの多くは、金具を要した製品が多く、駐車場、自転車置き場等に並べられている。特許文献１は自転車の前輪を金具の間に収めることにより、自転車を固定するとされている。
【先行技術文献】
【特許文献】
【０００３】
【特許文献１】  特開２００５−９６５４２（Ｐ２００５−９４５４２Ａ）
【特許文献２】
【非特許文献】
【０００４】
【非特許文献１】
【非特許文献２】
【考案の概要】
【考案が解決しようとする課題】  上記した従来の自転車スタンド、二輪車止めは二本のパイプ構造により二輪車の前輪を挟み込み転倒防止を促したり、整理整頓の役目も有するが自転車の転倒防止を考えるとパイプのみの構造であると、強風等の衝撃、三台同時設置による自転車の重さで支えあうゆえに倒れにくい構造のため不安定さが否めない部分もあり、また商品の構造上駐車スペースに設置が余儀なくされる、狭いスペース、複数台を必要としないスペースには設置が不可という難点がある。
【課題を解決するための手段】素材に重量のある自然石、安山岩、花崗岩、御影石、コンクリート素材等により素材の重量を活かした製品となる。また二輪車止めの設置底辺を平面に切削することにより設置面との接合性を密着させることにより、素材の重さ、表面と設置面の密着度により二輪車の車輪を加工を施した溝に入れた場合、二輪車が固定され強風、衝撃等でも倒れにくい構造となる。また前輪を溝に入れる構造のため、必然的に前輪が整然と並ぶことにより整理整頓を促す効果が得られる。
【考案の効果】    駐車スペースが狭い場合もこの商品は単体商品で二輪車１台使用のため並列及び縦列の配置が可能となる。また、素材に施錠箇所を施すことにより二輪車の盗難防止を促すことが可能となる。また素材に重さがあるが重量が施工無しで運べるため、二輪車の使用変化があった場合でも施工無しで移動が可能となる。
施工の場合は費用がかかるが設置費用の削減になる。
【図面の簡単な説明】
【図１】は本考案の使用状態を示す図
【図２】は本考案の一部斜視図
【図３】は本考案の車輪を施錠した使用状態を示す図
【考案を実施するための形態】
素材の重量を活かし加工方法が位置ずれ等を起こしにくくしているため前述した二輪車止めのように過度のスペースが必要が無くなり、よりコンパクトになり作業的にも製造コストをコンパクトな分だけ安価ですむ。所謂素材を設置し置くだけという設置方法により取り外し移動が簡易になり労力、設置費用の削減ができる。
また、自然加工の石材等を使用することに外観の美観と調和することが可能となる。
【実施例】重さが確保できるもので加工が可能であれば石材、自然石、大理石、安山岩、花崗岩、御影石、金属性、コンクリート、が可能となる。また素材が軽量なゴム、再生ゴム、陶磁器、レジン素材であったても外観素材を空洞にした場合、前述した重量のある素材を施せば基本機能が可能となる。
形状も、従来の無機質な形状から、動物、昆虫、植物、果物、記念物、木材、切り株、年輪、恐竜、地球、宇宙、世界地図、山、マンガ、アニメ、車、電車、汽車、船、ロケット等あらゆる製品の加工が可能となり、駐車場スペース、公の広場、駐輪スペース等を最大限に鮮やかな彩りで飾ることができる。
例えばテーマパーク等をそのイメージに合わせたキャラクター、商品で統一することも可能となる。
【符号の説明】１は二輪車
２は車輪
３は車輪受け溝
４はタイヤ
５は貫通穴
６は施錠具
【図１】
0003203920.tif 000003
【図２】
0003203920.tif 000004
【図３】
0003203920.tif 000005
【手続補正書】
【提出日】平成28年2月1日(2016.2.1)
【手続補正１】
【補正対象書類名】実用新案登録請求の範囲
【補正対象項目名】請求項１
【補正方法】変更
【補正の内容】
【請求項１】
所定の厚みを有しかつ重量のある部材本体の中間部に二輪車を保持するための車輪受け溝が開設され、また部材本体の重量が車輪受け溝に二輪車をはめこみ固定することで倒れない程の重量であることを特徴とした二輪車止め。
【手続補正２】
【補正対象書類名】実用新案登録請求の範囲
【補正対象項目名】請求項４
【補正方法】変更
【補正の内容】
【請求項４】
請求項１、２又は３に記載した二輪車止めであって、構造物の溝に二輪車をはめ込んだあとに、二輪車をはめ込む際の入り口左右手前に二か所の貫通穴を設けその貫通穴に鎖やチェーン等を通し二輪車をはめ込んだ後に、はめ込んだ車輪の間に鎖、チェーンを通して施錠することになって車輪と二輪車止めが一体化となり固定されることで倒れにくくなる特徴を有する二輪車止め。
【手続補正３】
【補正対象書類名】実用新案登録請求の範囲
【補正対象項目名】請求項５
【補正方法】変更
【補正の内容】
【請求項５】
請求項４に記載された二輪車止めであって施錠具を設置することにより、少なくとも車輪が固定されてずれにくくなり、安定し転倒しにくく整理整頓を促すことを可能とした二輪車止め。
(57)【要約】      （修正有）【課題】装飾性が高く、和風洋風どちらのコンセプトの建物にも対応可能なウッドパネルを提供する。【解決手段】従来の羽目板床板の表面にうずくり加工をし、更に板目方向と交わる方向に特殊な刃物でダメージ加工を行うことにより、装飾性の高い新しいデザインのものを作り出せる。表面仕上げには浸透性の自然塗料を使用して木目を生かしつつカラフルな商品に仕上げる。【選択図】図１
0003203918.tif 000002
【実用新案登録請求の範囲】
【請求項１】
うずくり加工をした上に、板目方向と交わる方向に特殊な刃物でダメージ加工を行なった、ウッドパネル。
【請求項２】
浸透性の自然塗料を使用して塗装して仕上げることにより従来の羽目板、床板に比較し、格段にデザイン性の高い木目を生かしつつカラフルな製品を生産することができるようにした請求項１に記載のウッドパネル。
【考案の詳細な説明】
【実用新案の詳細な説明】
【技術分野】
【０００１】  本考案は、うずくり加工をした上に、板目方向と交わる方向に特殊な刃物でダメージ加工を行なった、ウッドパネルに関する。
【背景技術】
【０００２】  従来の羽目板、床板は木目を生かした使い方にこだわり、和風の家または洋風にしてもカントリー調の家等しか採用されてこなかった。さらに素材の色には白、赤、源平と様々な種類が混在しており、選別に次ぐ選別が必要になり歩留りが悪くなり、コストアップに繋がり、消費者のニーズに十分こたえ切れたものになっていなかった。
【本考案が解決しようとする課題】
【０００３】  本実用新案は、木目に交差する方向に特殊な刃物でダメージ加工することにより、木目にデザイン性の高い模様が生まれて装飾性に優れた羽目板、床板等を作ることができる。そのことにより、板材の色・質に関わらず採用が可能となり、板材の選別が不要となることによりコストダウンが図られ、消費者のニーズに応えることで、洋風部材として広く使用が可能となる。
素材の色の多様性については、浸透性の自然塗料を使用して塗装して仕上げることにより従来の羽目板、床板からは格段にデザイン性の高い木目を生かしつつカラフルな製品を生産することができるようになる。
【課題を解決するための手段】
【０００４】  羽目板パネル、床板パネルに木目にうずくり加工をした上に、板目方向と交差する方向に特殊な刃物でダメージ加工することにより、結果として板材の過度な選別を不要とし、コストダウンに繋げることに供するものである。
【実施例】
【０００５】  実施例について、図面を参照して説明する。
板材にうずくり加工を施すことにより、図２において図１の木目が浮き上がってきている。更に木目と交わる方向に斜線のように切削加工を加えることで、木目がさざ波のごとき模様となり、木目方向の凹凸に加え、交わる方向にも凹凸を表現できることにより、デザイン性が高くなっている。
【考案の効果】
【０００６】  以上のように、請求項１記載の考案によれば、木目にデザイン性の高い模様が生まれて装飾性に優れた羽目板、床板等を作ることができる。そのことにより、板材の色・質に関わらず採用が可能となり、板材の選別を従来ほど要しなくなることによりコストダウンが図られ、消費者のニーズに応えることで、洋風部材として広く使用が可能となる。
また、請求項２記載の考案によれば、従来の羽目板、床板からは格段にデザイン性の高い木目を生かしつつカラフルな製品を生産することができるようになる。
【図面の簡単な説明】
【０００７】
【図１】  ウッドパネル板材の正面図である。
【図２】  ウッドパネル板材の側面図である。
【図１】
0003203918.tif 000003
【図２】
0003203918.tif 000004
(57)【要約】      （修正有）【課題】レジ袋で買い物し、荷物が多い時でも楽に運搬できるレジ袋用運搬補助具を提供する。【解決手段】肩当て１とその両端に複数のフック２を持つ一体構造の道具であり、レジ袋に取り付けることによりだれでも簡単に肩から掛けて運べる袋へと機能が向上する。【選択図】図３
0003203917.tif 000002
【実用新案登録請求の範囲】
【請求項１】
レジ袋用運搬補助具で、肩当て（１）と複数のフック（２）で一体構成された道具。
【請求項２】
レジ袋用運搬補助具で、肩当て（１）と長さ調節の為の複数のフック（２）で一体構成された道具。
【考案の詳細な説明】
【技術分野】
【０００１】レジ袋の使用用途に関する技術である。
【背景技術】
【０００２】レジ袋の使用用途を広げる技術である。
【先行技術文献】
【特許文献】
【０００３】類似品は見当たらない。
【考案の概要】
【考案が解決しようとする課題】
【０００４】レジ袋で買い物するとき、荷物が多い時など手に下げて長時間運搬するのは大変疲れる。
【課題を解決するための手段】
【０００５】このようなときレジ袋を肩から下げて運搬出来るととても楽で長時間でも手が痛くなるようなこともなく、楽に運搬が出来るようになる。この課題を解決するために、肩当て（１）とその両端に複数のフック（２）を持つ一体構造の道具があれば、だれでも簡単にレジ袋が肩から掛けて運べる袋へと機能が向上する。
【考案の効果】
【０００６】この考案は運搬する人にとっては運ぶための労力が軽減されるので、老人や婦人にとっては大変喜ばれる。又、荷物を肩にかけて運ぶことができれば、両手が自由になり、雨の日に傘をさしたり、子供の手を引いたり、杖をついたりと手が開放されるので大変便利になる。【０００７】さらに店側にも大きなメリットがある。重い荷物は運ぶのは大変なので、消費者はつい買い控えをしてしまう。しかし、肩に掛ければ、手に持つより重さは半減したように軽く感じ、買い物の量も多くなる。つまり店舗の売上アップに貢献するのである。【０００８】又、この道具は形成が容易な樹脂などで簡単に作ることが出来、コストもあまり掛けずに作ることができる。ペットボトルやペットボトルのふたなどの材料などで再利用すれば資源の効率化も図れる。
【図面の簡単な説明】
【０００９】
【図１】平面図
【図２】側面図
【図３】斜視図
【図４】側面図
【考案を実施するための形態】
【００１０】肩当て（１）とレジ袋を引っ掛けるフック（２）を一体構成する。
【実施例１】
【００１１】図１平面図、図２側面図、図３斜視図、に示す道具にレジ袋を引っ掛けて肩に掛け運搬出来るようにした物。
【実施例２】
【００１２】図１平面図、図２側面図、図３斜視図、の基本形の道具に図４側面図に示すように長さ調節の為にフック（２）の数を増やし、運搬時に体型や荷物の量に応じて運びやすくした構造の物。
【産業上の利用可能性】
【００１３】資源のリサイクルにも貢献でき、老人社会に大きく貢献出来る。
【符号の説明】
【００１４】（１）肩当て  （２）レジ袋を引っ掛けるフック
【図１】
0003203917.tif 000003
【図２】
0003203917.tif 000004
【図３】
0003203917.tif 000005
【図４】
0003203917.tif 000006
【手続補正書】
【提出日】平成28年2月4日(2016.2.4)
【手続補正１】
【補正対象書類名】実用新案登録請求の範囲
【補正対象項目名】全文
【補正方法】変更
【補正の内容】
【実用新案登録請求の範囲】
【請求項１】
レジ袋用運搬補助具で、肩当て（１）とその両端に複数のフック（２）で構成された道具。
【請求項２】
レジ袋用運搬補助具で、肩当て（１）とその両端に肩当て（１）の長さ方向に長さ調節の為の複数のフック（２）で構成された道具。
(57)【要約】      （修正有）【課題】公園や街路樹の幼木の根元を損傷被害から守る保護具を提供する。【解決手段】長方形状のプラスチック部材１の、先端部に矢型形状の突起２を設け、プラスチック本体中央より後端部にかけ等間隔に凸型形状の孔３を適宜個数を設ける。プラスチック部材はポリプロピレンシートであることが望ましく、矢型形状突起２が凸型形状孔３に挿入することで所定の位置に固定される。【選択図】図２
0003203936.tif 000002
【実用新案登録請求の範囲】
【請求項１】
長方形状のプラスチック部材先端部に矢型形状の突起を設け、該プラスチック部材本体の中央より後端部にかけ、等間隔に矢型突起が挿入可能な凸型形状の孔を設けたことを特徴とする幼木樹皮の損傷被害保護具。
【請求項２】
プラスチック部材が、ポリプロピレンシートであることを特徴とした請求項1に記載の幼木樹皮の損傷被害保護具。
【考案の詳細な説明】
【技術分野】
【０００１】
本考案は、幼木の樹皮を野ネズミや刈払機の回転ナイロンブレードから樹皮の根元を損傷被害から守る保護具に関するものである。
【背景技術】
【０００２】
従来、公園や河川敷の除草を手作業による鎌で草刈などをしていた時代は、幼
木の根本に傷などをつけることは無かったが、最近は刈払機が主流になり業者任せになっている。そのために幼木の根元に傷をついたかどうかは、公園や河川の管理者には知ることは出来ないので、事前に幼木を保護することが大事である。
【０００３】
寒冷地の雪国では、傷のついた樹皮を目当てに、降り積もった雪と地面の間を野ネズミが移動することが多くなり、雪解けになるとその被害に気づくのである。
【考案の概要】
【考案が解決しようとする課題】
【０００４】
上記のことからも、除草をする前に幼木の根元を保護することが大事なことである。例えば、将来桜並木にしようと計画されたはずの幼木の樹皮に傷がつき、幹までも食い込んでいるために、立ち枯れして根元から切断されている事例は数多く見ることがある。
【０００５】
幼木を成長させるためには、おおよそ１０年間は保護しなければ風雨に耐える
様にはならない。一番大事な時期に幼木の根元樹皮に傷がつくと、後に修復することは無く、成長も遅れて貧弱な樹木となり、風雨に耐えられなくなるのである。
【０００６】
また、幼木を多くの人に、親しみを持ってもらえるように保護シートに絵や樹木名を書きもむことで、樹木に対する関心を持ってもらうのも大切である。
本考案は、以上の欠点を解決するためになされたものである。
【課題を解決するための手段】
【０００７】
課題を解決するため本考案は、長方形状のプラスチック部材先端部に矢型形状の突起を設け、該プラスチック部材本体の中央より後端部にかけ、等間隔に矢型突起が挿入可能な凸型形状の孔を設けたことを特徴とする。
【考案の効果】
【０００８】
本考案を使用することによって、野ネズミや刈払機の回転するナイロンブレードから樹皮の被害を守ることが出来る。
【図面の簡単な説明】
【０００９】
【図１】本考案の一実施例の正面図
【図２】本考案の背面斜視図
【図３】本考案を樹木に巻きつけた状態を示す斜視図
【図４】本考案を樹木に設置した状態を示す斜視図
【考案を実施するための形態】
【００１０】
長方形状のプラスチック部材先端部に矢型形状の突起を設け、該プラスチック部材本体の中央より後端部にかけ、等間隔に矢型突起が挿入可能な凸型形状の孔を設ける。
【実施例】
【００１１】
幼木に保護シートを巻きつけるときは、刈払機の回転と逆方向になるように  まくことが望ましく、通常刈払機の回転は通常右回転で、保護シートは左巻きにすることで、シート端末のこぐちの損傷を防ぐことになる。
【００１２】
本考案の実施例では、長方形状のポリプロピレンシート本体の中央先端部を、矢型形状に成型し、該ポリプロピレンシートを用い本体の中央より後端部にかけて等間隔に数箇所の凸型形状の孔を設け、矢型を爪で押さえて、凸型形状孔に挿入することで入りやすくなり、所定の太さの幼木の根元に装着固定することができる。
【００１３】
以下、図1〜５により本考案の一実施例を説明する。
図１は本考案の一実施例の正面図である。図１において、該ポリプロピレンシート板、２は矢型突起、3は突起受け凸型形状孔、図2は該ポリプロピレンシート背面斜視図、図3は本考案を樹木に巻きつけた状態である。図4において、本考案を樹木に設置した状態である。
【符号の説明】
【００１４】
・  ポリプロピレンシート
・  矢型突起
・  凸型孔
【図１】
0003203936.tif 000003
【図２】
0003203936.tif 000004
【図３】
0003203936.tif 000005
【図４】
0003203936.tif 000006
(57)【要約】【課題】感熱紙の特性を利用して遊び心を満足させることができる遊戯紙を提供する。【解決手段】台紙１１と、台紙１１に貼り付けられた感熱紙１２とからなり、感熱紙１２には絵柄が描かれたうえ、熱が加えられて発色して絵柄が不可視となっていることを特徴とする。台紙１１は二つ折りになっていて、その片側半部の内面に感熱紙１２が貼り付けられている。感熱紙１２に例えばアルコールを含んだ香水などを振りかけることにより絵柄が現れるので、遊び心を満足させることができる。【選択図】図１
0003203931.tif 000002
【実用新案登録請求の範囲】
【請求項１】
台紙と、この台紙に貼り付けられた感熱紙とからなり、
前記感熱紙には絵柄が描かれたうえ、熱が加えられて発色して前記絵柄が不可視となっていることを特徴とする遊戯紙。
【請求項２】
前記台紙は二つ折りになっていて、その片側半部の内面に前記感熱紙が貼り付けられていることを特徴とする遊戯紙。
【考案の詳細な説明】
【技術分野】
【０００１】
この考案は遊戯紙に関し、さらに詳細には、感熱紙を用いた遊戯紙に関する。
【背景技術】
【０００２】
印字に用いられる記録用紙の１つとして、基材となる紙やフィルムにロイコ染料と顕色剤を主成分とする層を塗工してなる感熱紙が知られている。この感熱紙はサーマルヘッドの熱によって感熱層に含まれる顕色剤が溶融してロイコ染料に作用し、ロイコ染料が発色することにより文字などが印字される。
【０００３】
感熱紙は優れた情報記録用紙であるが、アルコールや油等の薬品と接触することによって元々の印字濃度が徐々に薄くなり、印字が消失してしまうことも知られている（例えば特許文献１の段落０００５参照）。このような感熱紙の特性を利用した遊戯紙は未だ提案されていない。
【先行技術文献】
【特許文献】
【０００４】
【特許文献１】特開２００８−１７３８２２号公報
【考案の概要】
【考案が解決しようとする課題】
【０００５】
この考案は上記のような技術的背景に基づいてなされたものであって、次の目的を達成するものである。
この考案の目的は、感熱紙の特性を利用して遊び心を満足させることができる遊戯紙を提供することにある。
【課題を解決するための手段】
【０００６】
この考案は上記課題を達成するために、次のような手段を採用している。
すなわち、この考案は、台紙と、この台紙に貼り付けられた感熱紙とからなり、
前記感熱紙には絵柄が描かれたうえ、熱が加えられて発色して前記絵柄が不可視となっていることを特徴とする遊戯紙にある。
【０００７】
より具体的には、前記台紙は二つ折りになっていて、その片側半部の内面に前記感熱紙が貼り付けられている。
【考案の効果】
【０００８】
この考案によれば、台紙に貼り付けられた感熱紙に例えばアルコールを含んだ香水などを振りかけることにより絵柄が現れるので、遊び心を満足させることができる。また、振りかけた香水はアルコールの揮発後も芳香が残り、遊戯紙は芳香紙としてバッグなどに携帯することにより香りを楽しむことができる。
【図面の簡単な説明】
【０００９】
【図１】この考案の実施形態を示す遊戯紙の平面図である。
【図２】図１のＡ−Ａ線矢視断面図である。
【図３】感熱紙を示す平面図であって、（ａ）は絵柄が描かれた加熱前の感熱紙を示し、（ｂ）は加熱して発色させた状態を示している。
【図４】感熱紙に香水などを振りかけた状態を示す平面図である。
【考案を実施するための形態】
【００１０】
この考案の実施形態を図面を参照しながら以下に説明する。図１は、この考案の実施形態を示す平面図である。図２は図１のＡ−Ａ線矢視断面図である。遊戯紙１０は、台紙１１と台紙１１に貼り付けられた感熱紙１２とからなる。
【００１１】
台紙１１はこの実施形態では四角形に形成され、中央部の折り線１３によって二つ折り可能となっている。図１は台紙１１を開いた状態を示し、二つ折りにするには折り線１３に沿って内側に折りたたむ。感熱紙１２は台紙１１の一方の片側半部の内面に貼り付けられている。感熱紙１２は図示の形状に限らず、円形、多角形、ハート形等の種々の形状とすることができる。また、台紙１１の他方の片側（図示では左側）半部には図示のように絵柄を描いてもよい。
【００１２】
図３は感熱紙１２を示す平面図である。同図（ａ）に示すように、感熱紙１２には絵柄１５が印刷等により描かれている。絵柄１５の色は、感熱紙１２に熱を加えて発色する色と同じ色、例えば黒色である。絵柄１５が描かれた感熱紙１２は、さらに同図（ｂ）に示すようにアイロンやドライヤーなどの熱を発生する器具で全体が加熱されている。これにより、感熱紙１２は絵柄１５と同じ色に発色して絵柄１５は不可視状態となる。
【００１３】
図１に示すように、台紙１１に貼り付けられているのは、上記のようにして絵柄１５を不可視状態とした感熱紙１２である。なお、感熱紙１２を加熱するのは台紙１１に貼り付けた後であってもよい。
【００１４】
上記のような遊戯紙１０を購入した購買者は、二つ折りにした遊戯紙１０を開き、感熱紙１２に例えばアルコールを含んだ香水などを振りかける。すると、図４に示すように、感熱紙１２の発色が消失して絵柄１５が現れる。このように、この考案の遊戯紙１０によれば、感熱紙１２に発色が消失する材料、例えばアルコールを含んだ香水などを振りかけることにより、絵柄１５が現れるという現象を楽しむことができる。
【００１５】
また、振りかけた香水はアルコールの揮発後も芳香が残り、遊戯紙１０は芳香紙としてバッグなどに携帯することにより香りを楽しむことができる。
【００１６】
上記実施形態は例示にすぎず、この考案は種々の態様を採ることができる。例えば、上記実施形態では絵柄１５として「女の子」が示されているが、模様、動物、建物など種々の形態を採用することができる。
【符号の説明】
【００１７】
１０：遊戯紙
１１：台紙
１２：感熱紙
１５：絵柄
【図１】
0003203931.tif 000003
【図２】
0003203931.tif 000004
【図３】
0003203931.tif 000005
【図４】
0003203931.tif 000006
【手続補正書】
【提出日】平成28年2月19日(2016.2.19)
【手続補正１】
【補正対象書類名】実用新案登録請求の範囲
【補正対象項目名】全文
【補正方法】変更
【補正の内容】
【実用新案登録請求の範囲】
【請求項１】
台紙と、この台紙に貼り付けられた感熱紙とからなり、
前記感熱紙には絵柄が描かれたうえ、熱が加えられて発色して前記絵柄が不可視となっていることを特徴とする遊戯紙。
【請求項２】
前記台紙は二つ折りになっていて、その片側半部の内面に前記感熱紙が貼り付けられていることを特徴とする請求項１記載の遊戯紙。
(57)【要約】      （修正有）【課題】本体の軽量化および重量物の容易な運搬移動、重量物の荷揚げ時の労力軽減ができる移動式簡易リフターを提供する。【解決手段】アルミからなる本体に重量物を載せる荷台が設けられ、本体には自在キャスターからなる前輪及び固定車輪からなる後輪が装着され、本体の車輪が取り付けられている部分とは反対側の後輪側にハンドルが設けられ、後輪付近の本体にはリフター調整金具取り付け個所６が設けられ、リフター調整金具を取り付けて重量物の高さを調整することができるとともに、リフター調整金具取り付け箇所６を支点にハンドルを手前に倒しハンドルを接地させたときにハンドルには衝撃緩和装置が内蔵されている。【選択図】図３
0003203926.tif 000002
【実用新案登録請求の範囲】
【請求項１】
本体のアルミでの構造軽量化と異なる車輪の取り付け（自在キャスターを前輪、固定車輪を後輪に装着）をすることで、目的地までの重量物の移動が容易になる。またテコの原理を応用して少ない力で本体を90度に回転させることで重量物を上にあげることができる。さらに、重量物の上がる高さが2段階に調整でき個々にあった荷揚げしやすい高さが得られることで腰への負担軽減ができるとともに、本体を９０度に回転させ地面に接した時に発生する振動を緩和させ、重量物への損傷を防止することを特徴とした。
【考案の詳細な説明】
【技術分野】
【０００１】
本考案は重量物の移動が容易かつ、テコの原理を使い少ない力で重量物を一定の高さまで持ち上がり,荷揚げ時の腰への負担を軽減できることで高齢化する社会において貢献をする移動式簡易リフタ−に関するものである。
【背景技術】
【０００２】
従来からの二輪車等での重量物の運搬、荷上げ降ろしが不便であった。下記特許文献１および特許文献２
【先行技術文献】
【特許文献】
【０００３】
【特許文献１】特開平05-294244
【特許文献２】特開2012-210886
【考案の概要】
【課題を解決するための手段】
【０００４】
従来の装置は重く、重量物の荷揚げには労力を要したが、本考案は本体を軽量化し、重量物の移動および荷揚げが容易にできるものとした
【考案の効果】
【０００５】
本発明は上記の課題を解決する為に 、本体で使用する材質の軽量化と装着する車輪を使い分け（自在キャスターを前輪、固定車輪を後輪に装着）をすることで、目的地までの移動が容易になり、また重量物を上げる高さが2段階に調整でき、個々の身長にあった荷揚げしやすい高さが得られることで労力が軽減され、さらに移動式簡易リフタ−を90度に回転させ地面に接したときに発生する振動を緩和させることで、重量物への損傷を防止することができるものとした。
【０００６】
以下本考案の形態を示す図面に基づき説明する
【図面の簡単な説明】
【０００７】
【図１】移動式簡易リフタ−の側面図
【図２】移動式簡易リフタ−の正面図
【図３】移動式簡易リフタ−の後面図
【図４】移動式簡易リフタ−を回転させた時の側面図
【図５】前輪キャスタ−の側面図
【図６】リフタ−調整金具取り付け個所の側面図
【図７】衝撃緩和装置の側面図
【図８】同上の断面構成図
【実施例】
【０００８】
以下本考案の形態を示す図面に基づき説明する。
【０００９】
図１に示す如く、重量物を載せる前の移動式簡易リフタ−１を示した側面図。
【００１０】
図２に示す如く、ハンドル２を握り重量物がある場所まで前輪３と後輪４使い移動、方向転換時には図５前輪キャスター内部のベアリングｃを使い転換し、荷台５に重量物を載せる場所を示した正面図。
【００１１】
図３に示す如く、簡易リフタ−後部にリフタ−調整金具取り付け個所６にリフタ−調整金具ｄを高さに応じ取り付けを示した後面図。
【００１２】
図４に示す如く、リフタ−調整金具取り付け個所６にリフタ−調整金具ｄを取り付けた場合はｂの高さになり、リフタ−調整金具取り付け個所６にリフタ−調整金具ｄを取り付けなかった場合はaの高さを示し、荷台５に重量物が乗った状態でリフタ−調整金具取り付け個所６を支点にハンドル２を手前に倒し、地面にハンドル２の接地を示した側面図。
【００１３】
図５に示す如く、ベアリング内蔵の自在キャスターを示した側面図。
【００１４】
図6の示す如く、リフタ−調整金具取り付け個所６（差し込み口）及びリフタ−調整金具ｄを示した側面図。
【００１５】
図7に示す如く、ハンドル２が地面に接地したときに重量物に生じる振動を緩和するための衝撃緩和装置内蔵eのハンドルを示した側面図。
【００１６】
図８に示す如く、振動を吸収、緩和させるためハンドル２内部に強化スプリングｆを1個内蔵、併用してハンドル２先端部に振動吸収ゴム装着ｇを示した断面構成図。
【産業上の利用可能性】
【００１７】
一次産業を使用項目とし、水稲における原米（袋）の移動、荷揚げ作業の補助を目的とする。
【符号の説明】
【００１８】
１  本体
２  ハンドル
３  前輪
４  後輪
５  荷台
６  リフタ−調整金具取り付け個所
a  リフタ−調整金具の未装着時の荷台の高さ
b  リフタ−調整金具の装着時の荷台の高さ
c   自在キャスターのベアリング
d   リフタ−調整金具
e  衝撃緩和装置
ｆ  強化スプリング
ｇ  振動吸収ゴム
【図１】
0003203926.tif 000003
【図２】
0003203926.tif 000004
【図３】
0003203926.tif 000005
【図４】
0003203926.tif 000006
【図５】
0003203926.tif 000007
【図６】
0003203926.tif 000008
【図７】
0003203926.tif 000009
【図８】
0003203926.tif 000010
【手続補正書】
【提出日】平成28年2月16日(2016.2.16)
【手続補正１】
【補正対象書類名】実用新案登録請求の範囲
【補正対象項目名】請求項１
【補正方法】変更
【補正の内容】
【請求項１】
アルミからなる本体に重量物を載せる荷台が設けられ、本体には自在キャスターからなる前輪及び固定車輪からなる後輪が装着され、
本体の車輪が取り付けられている部分とは反対側の後輪側にハンドルが設けられ、後輪付近の本体にはリフタ−調整金具取り付け個所が設けられ、リフタ−調整金具を取り付けて重量物の高さを調整することができるとともに、
リフタ−調整金具取り付け箇所を支点にハンドルを手前に倒しハンドルを接地させたときにハンドルには衝撃緩和装置が内蔵されている移動式簡易リフタ−。